(57)【要約】【課題】  架台部に設けられた収納部を全開位置まで自動的に引き出せるようにした洗面化粧台を提供すること。【解決手段】  架台部４に引き出し可能な収納部５が設けられ、収納部の前後左右の４箇所にキャスターが設けられ、後側のキャスターは、後方から前方に向かって下方に傾斜するガイドレール上を走行し、ガイドレールの前端にストッパーが設けられ、引出操作時に、収納部を全開位置まで自動的に移動させ、停止させる。【選択図】図１
2007000377.tif 000002
【特許請求の範囲】
【請求項１】
架台部に引き出し可能な収納部が設けられた洗面化粧台であって、収納部の前後左右の４箇所にキャスターが設けられ、後側のキャスターは、後方から前方に向かって下方に傾斜するガイドレール上を走行し、ガイドレールの前端にストッパーが設けられ、引出操作時に、収納部は全開位置まで自動的に移動し、停止することを特徴とする洗面化粧台。
【請求項２】
収納部を架台部に収納状態に保持する保持機構と、保持機構による収納部の保持を解除する保持解除機構と、収納部を前方に押し出す押出機構とを備えている請求項１記載の洗面化粧台。
【請求項３】
保持機構、保持解除機構および押出機構が収納部の前面パネルの内側に配設されている請求項２記載の洗面化粧台。
【請求項４】
保持機構、保持解除機構および押出機構が架台部の奥側に配設されている請求項２記載の洗面化粧台。
【請求項５】
保持解除機構が架台部に配設されている請求項２記載の洗面化粧台。
【請求項６】
保持解除機構の操作部が洗面化粧台本体に配設されている請求項２記載の洗面化粧台。
【請求項７】
保持解除機構が電動式である請求項６記載の洗面化粧台。
【発明の詳細な説明】
【技術分野】
【０００１】
本願発明は、洗面化粧台に関する。
【背景技術】
【０００２】
洗面化粧台の洗面ボウル下部に設けられたキャビネットは収納スペースとして活用されている。キャビネットの前面開口部には、通常、開き戸が設けられるが、この場合、開き戸が開閉時に床面を擦ることのないように、キャビネットは、台輪と呼ばれる架台部の上に設置されている。架台部は、一般に100mm程度の高さを有している。そこで、架台部を収納スペースとして有効利用することが考え出され、架台部の前面を一部切り欠き、前後方向に出し入れ可能とした収納部が設けられている。そして、収納部の引き出しを容易とするための試みがなされている。たとえば、引出し用の飛び出し装置の適用が考えられている。引出し用の飛び出し装置は、特許文献１に記載されているように、引出しを開ける際に、一旦引出しを押し込むように操作することにより引出しが前方に飛び出すようになっている。  
【特許文献１】特開２００４−２４８８４８号公報
【発明の開示】
【発明が解決しようとする課題】
【０００３】
特許文献１に記載された引出し用飛び出し装置の適用により、収納部を引き出す際にかがんで操作する必要がなく、足先での操作によって容易に操作することができる。また、収納部の前面パネルにツマミ、取っ手を設ける必要がなくなり、すっきりとした外観が実現される。
【０００４】
だが、収納部の出代は、一般に、短く、実際に収納部を使うにあたっては、人手による引出操作が必要であり、かがまなければならないという問題がある。最近、収納部にヘルスメータを収納し、引き出した後、ヘルスメータを収納部に載せたままの状態でヘルスメータにのり、体重測定することが行われるようになってきている。
【０００５】
本願発明は、このような事情に鑑みてなされたものであり、架台部に設けられた収納部を全開位置まで自動的に引き出せるようにした洗面化粧台を提供することを課題としている。
【課題を解決するための手段】
【０００６】
本願発明は、上記の課題を解決するために、第１には、架台部に引き出し可能な収納部が設けられた洗面化粧台であって、収納部の前後左右の４箇所にキャスターが設けられ、後側のキャスターは、後方から前方に向かって下方に傾斜するガイドレール上を走行し、ガイドレールの前端にストッパーが設けられ、引出操作時に、収納部は全開位置まで自動的に移動し、停止することを特徴としている。
【０００７】
本願発明は、第２には、収納部を架台部に収納状態に保持する保持機構と、保持機構による収納部の保持を解除する保持解除機構と、収納部を前方に押し出す押出機構とを備えていることを特徴としている。
【０００８】
本願発明は、第３には、保持機構、保持解除機構および押出機構が収納部の前面パネルの内側に配設されていることを特徴としている。
【０００９】
本願発明は、第４には、保持機構、保持解除機構および押出機構が架台部の奥側に配設されていることを特徴としている。
【００１０】
本願発明は、第５には、保持解除機構が架台部に配設されていることを特徴としている。
【００１１】
本願発明は、第６には、保持解除機構の操作部が洗面化粧台本体に配設されていることを特徴としている。
【００１２】
本願発明は、第７には、保持解除機構が電動式であることを特徴としている。
【発明の効果】
【００１３】
本願の第１の発明によれば、架台部に設けられた収納部が全開位置まで自動的に移動し、停止するため、収納部の引き出しが簡便となる。
【００１４】
本願の第２の発明によれば、収納部を架台部に収納された状態に保持することができるとともに、保持状態の解除が可能となり、しかも収納部を引き出す際の動力を得ることができる。
【００１５】
本願の第３の発明によれば、保持機構、保持解除機構および押出機構のメンテナンスが容易となる。
【００１６】
本願の第４の発明によれば、保持機構、保持解除機構および押出機構が人目にふれることがなく、美観性が高まるとともに、収納部の収納スペースを最大限に活用することができる。
【００１７】
本願の第５の発明によれば、収納部の前面パネルに意図せずに接触しても、収納部が不意に飛び出すことがなく、誤動作を低減させることができる。
【００１８】
本願の第６の発明によれば、収納部の引出操作を手元で、安定した姿勢で行うことができ、操作が容易となる。
【００１９】
本願の第７の発明によれば、操作部と保持機構本体との接続を電気ケーブルにより行うことができ、構造が簡略化され、また、電気ケーブルの取り回しが容易であり、省施工となる。
【発明を実施するための最良の形態】
【００２０】
図１は、本願発明の洗面化粧台の一実施形態を示した斜視図である。
【００２１】
洗面ボウル１の下部にキャビネット２が設けられ、キャビネット２の前面開口部に開き戸３が設けられている。キャビネット２は、開き戸３が床面と接触することのないように、架台部４の上に設置されている。架台部４は、一部が切り欠かれ、切欠部に、収納部５が納められている。収納部５は、前後に移動することができ、架台部４からの引き出しと架台部４への収納が可能となっている。収納部５の前端には前面パネル６が設けられ、前面パネル６は、収納部５が架台部４に収納された状態では架台部４の前面と面一となるようになっている。
【００２２】
図２、図３は、それぞれ、本願発明の洗面化粧台の収納部とその周辺の一形態を示した要部俯瞰図、要部斜視図である。
【００２３】
収納部５は、前後左右の４箇所にキャスター７ａ、７ｂ、７ｃ、７ｄを備えている。前側のキャスター７ａ、７ｂは床面を走行するようになっており、後側のキャスター７ｃ、７ｄはガイドレール８上を走行するようになっている。ガイドレール８は、図３に示したように、断面略Ｌ字型の形状を有し、後方から前方に向かって下方に傾斜している。前端にはストッパー９が立設されている。このようなガイドレール８は、たとえば、架台部４に設けることのできる仕切り板１０の側面に固定することができる。
【００２４】
キャスター７ｃ、７ｄは、後方から前方に向かって下方に傾斜するガイドレール８上を走行するため、収納部５の引出操作時には、収納部５は、前方に押し出されると、キャスター７ｃ、７ｄがストッパー９に接触するまで自動的に前方に移動し、キャスター７ｃ、７ｄがストッパー９に接触すると停止する。この時、収納部５は全開位置にある。このように、収納部５は、引出操作時に途中で停止することなく全開位置まで自動的に移動し、停止するため、収納部５の引き出しが簡便になっている。収納部５に設けることのできる台部１１は、収納部５の全開位置までの移動および停止によりその全体が外部に表出する。台部１１にはたとえばヘルスメータを置くことができる。全体が外部に表出した状態では、台部１１に置いたままヘルスメータにのり、体重測定を行うことができる。体重測定を労することなく行うことができる。
【００２５】
図２および図３に示した洗面化粧台には、収納部５を架台部４に収納状態に保持する保持機構と、保持機構による収納部５の保持を解除する保持解除機構と、収納部５を前方に押し出す押出機構とを兼ね備えたラッチ機構１２が採用されている。ラッチ機構１２は、図２に示した収納部５が架台部４に収納された状態では収納部５を架台部４に収納状態に保持する。また、ラッチ機構１２は、収納部５を足先で一旦架台部４の奥側に押し込むと、保持状態を解除し、同時に、収納部５を前方に押し出す。収納部５の押し出しにはバネの反力を利用することができ、ラッチ機構１２に組み込まれた押出機構には、ダンパー等の緩衝機構を備え付けることもでき、収納部５の押し出しをスムーズにすることができる。
【００２６】
このようなラッチ機構１２は、図２および図３に示したように、収納部５の前面パネル６の内側に配設されている。たとえば、図１に示したキャビネット２の下端部の適宜な部位に固定することができる。ラッチ機構１２は、見えやすい部分に配設されているため、交換、修理が容易であり、メンテナンス性に優れる。
【００２７】
図４は、本願発明の洗面化粧台の収納部とその周辺の別の形態を示した要部俯瞰図である。
【００２８】
図４に示した洗面化粧台は、図２および図３に示した洗面化粧台とラッチ機構１２の配設位置が異なっている。その他の部位は、図２および図３に示した洗面化粧台と同様にしている。したがって、収納部５は、引出操作時には、全開位置まで自動的に移動し、停止する。
【００２９】
図４に示した洗面化粧台では、ラッチ機構１２が架台部４の奥側に配設されている。ラッチ機構１２は、隠れた部分に位置するため、人目にふれることがなく、美観性が高まっている。また、収納部５の収納スペースを最大限活用することができる。台部１１の物を置くことのできる領域が大きくなっている。
【００３０】
図５は、本願発明の洗面化粧台の収納部とその周辺の別の形態を示した要部平面図である。
【００３１】
図５に示した洗面化粧台では、保持解除機構１３が保持機構１４および押出機構１５から独立し、架台部４に配設されている。保持機構１４および押出機構１５は一体型とされ、架台部４の奥側に配設されている。保持解除機構１３では、本体に、フック１６が架台部４の前方に向けて設けられ、フック１６が係合する引っ掛け部１７が架台部４の前面の裏側に配設されている。
【００３２】
このように、保持解除機構１３を収納部５の前面パネル６と異なる架台部４に配設することにより、収納部５の前面パネル６に意図せずに接触しても、保持機構１４による収納部５の保持が解除されず、収納部５を架台部４に収納状態に保持することができる。収納部５が不意に飛び出すことがなく、誤動作を低減させることができる。
【００３３】
なお、図５に示した洗面化粧台では、保持解除機構１３、保持機構１４および押出機構１５が異なり、他の部位については図２〜図４に示した洗面化粧台と同様にしている。したがって、引出操作時には、収納部５は全開位置まで自動的に移動し、停止する。
【００３４】
図６は、本願発明の洗面化粧台の収納部とその周辺の別の形態を示した要部斜視図である。
【００３５】
図６に示した洗面化粧台では、保持解除機構１３が、保持機構１４および押出機構１５から独立し、収納部５の前面パネル６の裏面側に配設されている。保持解除機構１３は、フック１６と、フック１６が係合する引っ掛け部１７とを有している。引っ掛け部１７は取っ手状とされ、収納部５の前面パネル６の裏面に配設されている。
【００３６】
そして、図６に示した洗面化粧台では、フック１６の引っ掛け部１７との係合および解除を行う操作部１８が洗面化粧台本体に配設され、機械的なリンクにより遠隔操作可能としている。操作部１８は、図１に示した洗面化粧台において、人の手元に当たる適宜な部位に配設することができる。したがって、収納部５の引出操作は、手元に位置する操作部１８を操作することにより行うことができる。収納部５の前面パネル６を足先で蹴って操作する図２〜図５に示した洗面化粧台に比べ、収納部５の引出操作を両足で立った安定した状態で行うことができるため、引出操作が容易となる。
【００３７】
符号１９は、ヘルスメータであり、ヘルスメータ１９は収納部５に収納することができる。
【００３８】
なお、図６に示した洗面化粧台では、保持解除機構１３、保持機構１４および押出機構１５が異なり、他の部位については図２〜図４に示した洗面化粧台と同様にしている。したがって、引出操作時には、収納部５は、全開位置まで自動的に移動し、停止する。全開位置にある収納部５に置いたままヘルスメータ１９にのって体重測定を容易に行うことができる。
【００３９】
図７は、本願発明の洗面化粧台の収納部とその周辺の別の形態を示した要部斜視図である。
【００４０】
図７に示した洗面化粧台は、図６に示した洗面化粧台とほぼ同様な構成としている。保持解除機構１３が、保持機構１４および押出機構１５から独立し、収納部５の前面パネル６の裏面側に配設され、保持解除機構１３は、フック１６と、フック１６が係合する引っ掛け部１７とを有している。引っ掛け部１７は取っ手状とされ、収納部５の前面パネル６の裏面に配設されている。
【００４１】
そして、図７に示した洗面化粧台では、保持解除機構１３が電動式とされている。つまり、操作部２０から入力される電気信号に応じて保持解除機構１３の動作が遠隔操作されるようになっている。操作部２０は、図６に示した洗面化粧台と同様に、洗面化粧台において人の手元に当たる適宜な位置に配設することができる。電動式とすることにより、操作部２０と保持解除機構１３の本体とを電気ケーブル２１で接続することができ、機械的なリンク機構に比べ、構造を簡略化することができる。電気ケーブル２１の取り回しは容易であり、省施工となる。
【００４２】
なお、図７に示した洗面化粧台においても、引出操作時には、収納部５は全開位置まで自動的に移動し、停止する。
【図面の簡単な説明】
【００４３】
【図１】本願発明の洗面化粧台の一実施形態を示した斜視図である。
【図２】本願発明の洗面化粧台の収納部とその周辺の一形態を示した要部俯瞰図である。
【図３】本願発明の洗面化粧台の収納部とその周辺の一形態を示した要部斜視図である。
【図４】本願発明の洗面化粧台の収納部とその周辺の別の形態を示した要部俯瞰図である。
【図５】本願発明の洗面化粧台の収納部とその周辺の別の形態を示した要部平面図である。
【図６】本願発明の洗面化粧台の収納部とその周辺の別の形態を示した要部斜視図である。
【図７】本願発明の洗面化粧台の収納部とその周辺の別の形態を示した要部斜視図である。
【符号の説明】
【００４４】
１    洗面ボウル
２    キャビネット
３    開き戸
４    架台部
５    収納部
６    前面パネル
７ａ、７ｂ、７ｃ、７ｄ    キャスター
８    ガイドレール
９    ストッパー
１０    仕切り板
１１    台部
１２    ラッチ機構
１３    保持解除機構
１４    保持機構
１５    押出機構
１６    フック
１７    引っ掛け部
１８    操作部
１９    ヘルスメータ
２０    操作部
２１    電気ケーブル
【図１】
2007000377.tif 000003
【図２】
2007000377.tif 000004
【図３】
2007000377.tif 000005
【図４】
2007000377.tif 000006
【図５】
2007000377.tif 000007
【図６】
2007000377.tif 000008
【図７】
2007000377.tif 000009